(57)【要約】血管ステント、その輸送バルーン、および移植システムを開示する。前記血管ステントは、主に、可撓性透光本体（１）を含む。可撓性透光本体（１）は、硬化性導管（２）を備える。前記硬化性導管（２）は、可撓性透光本体（１）の周方向および軸方向に沿って配置される。また、硬化性導管（２）は、光硬化性液状支持材料（３）で充填される。前記光硬化性液状支持材料（３）は、光照射後に硬化して、可撓性透光本体（１）をラジアル支持する。液体の光硬化性材料が光照射後に硬化する材料特性を利用し、可撓性透光本体（１）をラジアル支持する。周方向および軸方向にそって延伸する硬化性導管を用いて、移植を完了した血管ステントに、良好なラジアル支持能力を与えることが確保される。本発明によって、血管ステントの構造を簡略化し、その移植を容易にし、さらに、金属ステントより低コスト化を実現することができる。
2019500135.tif 000002
【特許請求の範囲】
【請求項１】
血管ステントであって、
前記血管ステントは、可撓性透光本体（１）を有し、
前記可撓性透光本体（１）は、硬化性導管（２）を備え、
前記硬化性導管（２）は、前記可撓性透光本体（１）の周方向および軸方向に沿って配置され、
前記硬化性導管（２）は、光硬化性液状支持材料（３）の充填に使用され、
前記光硬化性液状支持材料（３）は、光照射後に硬化して前記可撓性透光本体（１）をラジアル支持する、ことを特徴とする血管ステント。
【請求項２】
前記光硬化性液状支持材料（３）はＵＶ樹脂であることを特徴とする、請求項１に記載の血管ステント。
【請求項３】
前記硬化性導管（２）は、前記可撓性透光本体（１）の側壁に沿って延伸する螺旋状管構造体であることを特徴とする、請求項１に記載の血管ステント。
【請求項４】
前記硬化性導管（２）は、前記可撓性透光本体（１）の側壁に沿って配置される網目状構造体であることを特徴とする、請求項１に記載の血管ステント。
【請求項５】
前記血管ステントは大動脈血管ステントであることを特徴とする、請求項1に記載の血管ステント。
【請求項６】
前記可撓性透光本体（１）は、ポリフッ化ビニリデン材料から形成されることを特徴とする、請求項1に記載の血管ステント。
【請求項７】
血管ステントに用いる輸送バルーンであって、
バルーン本体（４）と、
前記バルーン本体（４）にガスまたは液体を充填するための制御パイプ（４１）と、を有し、
前記血管ステントは請求項１〜６のいずれか一項に記載の血管ステントであり、
前記バルーン本体（４）内に光源（５）が設置され、且つ前記バルーン本体（４）の側壁は透光性材料から形成されることを特徴とする、血管ステントに用いる輸送バルーン。
【請求項８】
血管ステントに用いる移植システムであって、
前記血管ステントを脱離可能に収納できるステント輸送装置と、
前記血管ステントを照射する光源（５）と、
前記光硬化性液状支持材料（３）を輸送するための液体供給パイプ（８）と、を有し、
前記血管ステントは、請求項１〜６のいずれか一項に記載の血管ステントであり、
前記液体供給パイプ（８）は、脱離可能に前記血管ステントに接続されることを特徴とする、血管ステントに用いる移植システム。  
【請求項９】
前記ステント輸送装置は輸送バルーンであり、前記輸送バルーンは、
バルーン本体（４と、
前記バルーン本体（４）にガスまたは液体を充填するための制御パイプ（４１）と、を有し、
前記バルーン本体（４）内に前記光源（５）が設置され、且つ、前記バルーン本体（４）の側壁は透光材料から形成されることを特徴とする、請求項８に記載の移植システム。
【請求項１０】
前記移植システムはパイプ切断用のアセンブリを有し、前記パイプ切断用のアセンブリは心金（９２）および切断ワイヤー（９３）を有し、前記心金（９２）の遠位端面に切断溝（９１）が形成され、前記切断ワイヤー（９３）の両端はそれぞれ前記切断溝（９１）から軸方向に沿って前記心金（９２）内を移動するように貫通して近位端部から突き出し、且つ、前記液体供給パイプ（８）は前記切断ワイヤー（９３）と前記切断溝（９１）の間を通り抜けていることを特徴とする、請求項８または請求項９に記載の移植システム。
【発明の詳細な説明】
【技術分野】
【０００１】
本発明は、画像下治療用の医療器械の分野に関し、具体的には血管ステントおよびその輸送バルーン、並びに、移植システムに関する。
【背景技術】
【０００２】
血管ステントの画像下治療は、血管閉塞などの心・脳血管疾患の治療において幅広く応用されている。例えば、大動脈などの大血管の中に、しばしば被膜ステント、およびその他の小血管用の金属ステントなどを埋め込む必要がある。金属ステントは、自身の構造を通してラジアル支持を実現する一方で、被膜ステントは、ラジアル支持機能を有する金属ステントおよび金属ステントの外側に取り付けられた可撓性被膜を有し、金属ステントの支持力を介して可撓性被膜を血管壁に密着させる。しかし、金属ステントはコストが高いため、現有の被膜ステントの更なる高コスト化をもたらし、且つ移植を行うのに便利ではない。
【発明の概要】
【発明が解決しようとする課題】
【０００３】
本発明の目的は、構造が簡単で、金属ステントがなくても有効なラジアル支持効果を奏し、且つ、移植が簡単で、よりコストの低い血管ステントと、前記血管ステントを輸送するための輸送バルーンと、および前記血管ステントを移植するための移植システムとを提供することである。
【課題を解決するための手段】
【０００４】
上記目的を達成するため、本発明の一態様において、血管ステントを提供する。前記血管ステントは、可撓性透光本体を含む。前記可撓性透光本体は、硬化性導管を備える。前記硬化性導管は、前記可撓性透光本体の周方向および軸方向に沿って配置される。ここで、前記硬化性導管は、光硬化性液状支持材料の充填に使用される。前記光硬化性液状支持材料は、光照射後に硬化して前記可撓性透光本体をラジアル支持する。
【０００５】
好ましくは、前記光硬化性液体支持材料はＵＶ樹脂である。
好ましくは、前記硬化性導管は、前記可撓性透光本体の側壁に沿って延伸する螺旋状管構造体である。
好ましくは、前記硬化性導管は、前記可撓性透光本体の側壁に沿って配置される網目状構造体である。
好ましくは、前記血管ステントは大動脈血管ステントである。
好ましくは、前記可撓性透光本体は、ポリフッ化ビニリデン材料から形成される。
【０００６】
本発明のもう一つの態様では、本発明で提供する血管ステントに用いる輸送バルーンを提供するとともに、このバルーン本体および前記バルーン本体にガスまたは液体を充填するための制御パイプを提供する。前記バルーン本体の中には光源が設置され、且つ前記バルーン本体の側壁は透光性材料から形成される。
【０００７】
本発明のさらに別の態様では、血管ステントに用いる移植システムを提供する。前記移植システムは、前記血管ステントを脱離可能に収納できるステント輸送装置を含む。ここで、前記血管ステントは、本発明で提供される血管ステントである。前記移植システムは、前記血管ステントを照射する光源、および前記光硬化性液状支持材料を輸送するための液体供給パイプを含む。前記液体供給パイプは、脱離可能に前記血管ステントに接続することができる。
【０００８】
好ましくは、前記ステント輸送装置は輸送バルーンである。前記輸送バルーンは、バルーン本体および前記バルーン本体にガスまたは液体を充填するための制御パイプを含む。前記バルーン本体の中に前記光源が設置され、且つ、前記バルーン本体の側壁は透光材料から形成される。
好ましくは、前記移植システムは、パイプ切断用のアセンブリを含む。前記パイプ切断用のアセンブリは、心金および切断ワイヤーを含む。前記心金の遠位端面に切断溝が形成される。前記切断ワイヤーの両端は、それぞれ前記切断溝から軸方向に沿って前記心金内を移動するように貫通するとともに近位端部から突き出し、且つ、前記液体供給パイプは前記切断ワイヤーと前記切断溝の間を通り抜けている。
【発明の効果】
【０００９】
上記技術方案によって、本発明は、液状の光硬化材料が光照射された後、固定材料に硬化する材料特性を画期的に採用する。可撓性透光本体をラジアル支持し、周方向および軸方向に延伸した硬化性導管を用いることで、移植が完了した血管ステントが良好なラジアル支持機能を備えることを確保でき、且つ、本発明が提供する血管ステントの構造を簡略化し、移植に便利で、金属ステントと比べてコストを低減できる。
本発明の他の特徴および利点は、以下の発明を実施するための形態の部分にて詳しく説明する。
【図面の簡単な説明】
【００１０】
図面は、本発明へのさらなる理解を容易にし、且つ明細書の一部を構成する。図面および以下の発明の詳細な記載部分は、本発明を説明するためのものであり、本発明を限定するものではない。本図面において、
【図１】図１は本発明の実施形態により提供される血管ステントの構造概略図である。
【図２】図２は図1の血管ステントの断面構造概略図である。
【図３】図３は本発明の実施形態により提供される移植システムの構造概略図である。
【図４】図４は本発明の実施形態により提供される輸送バルーンの構造概略図である。
【図５】図５は本発明の実施形態により提供されるパイプ切断用のアセンブリの断面構造概略図であり、図中、液体供給パイプは切断ワイヤーを通りぬけている。
【図６】図６は本発明の実施形態により提供されるパイプ切断用のアセンブリの端部概略図であり、図中、液体供給パイプは切断ワイヤーを通り抜けており、且つ、切断ワイヤーは断面で示されている。
【発明を実施するための形態】
【００１１】
以下、本発明を実施するための具体的な形態について詳しく説明する。なお、上記具体的な実施形態は、本発明を例示し説明するためのものであり、本発明を限定するものではないことを理解すべきである。
本発明において、特に断らない限り、ここで用いた位置に関する用語、例えば、「遠、近」は、血管ステントの移植治療を行う時、人体に処置を行う箇所に基づき定義したものである。即ち、処置を行う箇所から離れた位置を「遠」とし、処置を行う箇所に接近した位置を「近」とする。また、「内、外」は、相応する対象輪郭の内と外を指す。
【００１２】
図１および図２に示す通り、本発明は血管ステントおよびその輸送バルーン、移植システムを提供する。ここで、血管ステントは、可撓性透光本体１を有する。可撓性透光本体１は、硬化性導管２を備える。前記硬化性導管２は、可撓性透光本体１の周方向および軸方向に沿って配置される。ここで、硬化性導管２は、光硬化性液状支持材料３で充填される。前記光硬化性液状支持材料３は、光照射後に硬化する特徴を有するため、可撓性透光本体１をラジアル支持することができる。これにより、血管ステントを移植する過程において、可撓性透光本体１は圧縮された状態で輸送を完了することができる。指定した位置に輸送された時、可撓性透光本体１内に光硬化性液状支持材料３を輸送することにより、可撓性透光本体１を膨脹させ、血管内壁に密着させることができる。その後、可撓性透光本体１を通して光照射を行い、光硬化性液状支持材料３を硬化させて、血管に対するラジアル支持機能を果たす。
【００１３】
ここにおいて、前記血管ステントの応用分野は、被膜ステントと類似し、特に大動脈血管ステントとして使用できる。前記可撓性透光本体１は、現有の被膜ステントの被膜と同じ材質、例えば、ポリフッ化ビニリデンＰＶＤＦで作られた材料を用いてもよい。また、ポリフッ化ビニリデンＰＶＤＦなどを用いて、可撓性と透光性を備える可撓性透光本体を加工できればよい。この外に、本発明で提供される血管ステントは、被膜ステントの応用分野に用いるほか、一般的な金属ステント分野に適用することによって、画像下治療のコストおよび効率を有効に改善することができる。
【００１４】
したがって、本発明は、光硬化材料を画期的に用いることによって、可撓性透光本体をラジアル支持する。さらに、周方向と軸方向に沿って延伸する硬化性導管を用いることで、移植を完了した血管ステントが良好なラジアル支持力を確実に備えることができ、且つ、本発明で提供される血管ステントの構造を簡略化し、移植を容易にし、且つコストをさらに低減できる。また、本発明の実施形態において、上述特性を備えた光硬化性液体支持材料３はＵＶ樹脂などの光照後に硬化する各種光硬化材料である。このように構成することで、本発明の目的を達成できる。
【００１５】
また、良好なラジアル支持力を提供するため、図１に示すように、ある実施例では、硬化性導管２は、可撓性透光本体１の側壁に沿って延伸する螺旋状管構造にしてもよい。軸方向と周方向に沿って良好に延伸する螺旋構造の特徴から、良好なラジアル支持力を与えることができる。また、他の実施例において、硬化性導管２は、可撓性透光本体１の側壁に沿って配置される網目状構造であるため、同様にして良好なラジアル支持力を与えることができる。ここで、前記網目状構造は、２本以上の螺旋状管構造を、ずらして結合することで形成される。または数本のリング状パイプおよび軸方向パイプを結合することで形成される。また、光硬化性液状支持材料３を容易に注入するために、網目状構造の各部分を互いに連結する。これにより、一つの入口を通して網目状構造の中に光硬化性液状支持材料３を容易に注入することができる。
【００１６】
また、前記血管スタントの埋め込みを完成、即ち、可撓性透光本体を位置決めした後に光硬化過程を行い、前記血管ステントの移植を達成できる。本発明で提供する前記血管ステントを輸送するための輸送バルーンは、図３と図４に示すように、バルーン本体４およびバルーン本体４に液体またはガスを充填するための制御パイプ４１を含む。バルーン本体４の中に光源５が設置され、且つバルーン本体４の側壁は透光材料から形成される。これにより、光源５の発光を制御して、バルーン本体４の側壁を通して可撓性透光本体１を照射し、光硬化性液状支持材料３の硬化を完成させる。
【００１７】
本実施形態中、図４の示すように、光源５は、バルーン本体４の中にある光柱６を含む。前記光柱６の外壁上に数個の発光ＬＥＤ７が配置される。ここで、数個の発光ＬＥＤ７の電源コードは、光柱６内部と制御パイプの中に延伸することができるので、外側端部での光源制御を実現できる。また、その他可能な実施形態において、大きさが許容されれば、光柱６の中にマイクロ電池および無線受信機を収容することもできる。空間を十分に活用すると同時に、外部からリモコンによる光源５の開閉操作を行い、有線方式で操作することもできる。この場合、対応する配線がバルーンの制御パイプ４１の中に収容される。前記制御パイプ４１は、ガスまたは液体の運送に使用され、バルーンの膨張を実現させる。本実施形態において、バルーンは二酸化炭素が充填されるバルーンである。
【００１８】
本発明で提供される血管ステントに用いる移植システムにおいて、前記移植システムは、血管ステントを脱離可能に収納できるステント輸送装置を含む。ここで、前記ステント輸送装置は、光硬化性液状支持材料３を充填していない可撓性透光本体１を、指定の位置に輸送可能ないかなる輸送装置でよく、例えば、バルーンなどが相当する。この外に、ステントを位置決めした後に、光硬化性液状支持材料３の輸送を完了させるため、移植システムは、血管ステントを照射するための光源５、および光硬化性液状支持材料３を輸送するための液体供給パイプ８を有する。前記液体供給パイプ８は、血管ステントに脱離可能に接続できるので、血管ステントの輸送、膨脹、および硬化を達成できる。また、液体供給パイプは、好ましく２本ある。一本は、液体注入に、もう一本は、ガス排出に使用される。これにより、光硬化性液状支持材料３の充填工程を達成する。また、他の実施形態では、液体供給パイプを別の本数にしてもよく、光硬化性液状支持材料３の充填を達成できればよい。また、光源５は、血管ステントを照射するため、各種方式で指定された位置に配置してもよい。また、本発明の好ましい実施形態中、輸送装置と光源は一体化構造であってもよい。即ち、輸送装置は、本発明で提供される前記輸送バルーンであって、光源５はバルーン本体に設置される。これにより構造を簡略化し、操作を容易にし、効率を向上することができる。
【００１９】
ここにおいて、血管ステントの移植完了後に、液体供給パイプ８を血管ステントから脱離する必要がある。このようにして、血管ステントの移植が実現する。具体的には、本実施形態において、図５と図６の示す通り、本移植システムは、パイプ切断用のアセンブリも含む。前記パイプ切断用のアセンブリは、心金９２と切断ワイヤー９３とを含み、心金の遠位端面に切断溝９１が形成される。切断ワイヤーの両端は、それぞれ切断溝９１から軸方向に沿って前記心金９２内を移動するように貫通し、且つ、ワイヤーは近位端部から突き出ている。この状態で、液体供給パイプ８を、切断ワイヤー９３と切断溝９１の間に通す。これにより、心金９２の遠位端面に押切カッターと類似したパイプ切断構造が形成される。切断ワイヤー９３の近位端部に位置する、ワイヤーの二つの末端を制御することで、切断ワイヤー９３によって、切断溝９１と切断ワイヤー９３の間に通した液体供給パイプ８を切断することができる。具体的な操作方法は下記の通りである。
【００２０】
血管ステントを移植する工程中、まず、液体供給パイプ８を切断ワイヤー９３のなかに通す。且つ、心金９２にはガイド穴９４が形成され、前記ガイド穴は、血管ステント移植工程中の主体ガイドワイヤーを通すために使われる。この構成により、心金９２を用い、血管ステントが移植につれて指定位置に移動することを制御できる。なお、液体供給パイプ８が液体を供給する過程中、パイプ切断用のアセンブリは動作しない。液体供給の完了後、切断ワイヤー９３が液体供給パイプ８に向って移動するのを制御し、且つ、まず液体供給パイプ８を締め付け、前記締め付けした部位に光硬化液状支持材料３が存在しないようにする。この時、光照作業を行い、血管ステント内部の光硬化液状支持材料を完全に硬化させる。その後、更に力を入れて切断ワイヤー９３を用いて、切断溝９１の端面上で液体供給パイプ８を切断し、液体供給パイプ８と血管ステントの脱離を完成させることができる。
【００２１】
他の実施形態において、血管ステントに逆止弁を設置し、且つ、逆止弁の液入口に液体供給パイプ８を螺接することもできる。したがって、逆止弁によって、光硬化液状支持材料３が可撓性透光本体１から流出することが防止される。この時、外側末端で液体供給パイプ８を螺子回して、液体供給パイプ８と血管ステントの脱離を完成できる。この後、可撓性透光本体１の硬化を完了させる。
【００２２】
以上、図面に沿って本発明の好ましい実施形態を詳しく説明した。しかし、本発明は、上述実施形態中の具体的細部に限定されるものではない。本発明の技術的構想の範囲内で、本発明の技術方案に数種の簡単な変形を行うことができるが、これらの簡単な変形は、全て本発明の保護範囲に含まれる。
また、上記した具体的実施形態で述べられた各具体的技術特徴は、矛盾することなく、いかなる好適な方式を用いて組み合わせることができることに留意すべきである。不要な重複を避けるため、本発明は、各種の可能な組み合わせ方について、別途説明を行わない。
その他、本発明の各種の異なる実施形態の間においても任意の組み合わせを行うことができ、本発明の思想に反しない限り、本発明の開示とみなされるべきである。
【符号の説明】
【００２３】
１  可撓性透光本体          
２  硬化性導管
３  光硬化性液状支持材料          
４  バルーン本体
５  光源                      
６  光柱
７  発光ＬＥＤ                  
８  液体供給パイプ
９１  切断溝                  
９２  心金
９３  切断ワイヤー            
９４  ガイド穴
【図１】
2019500135.tif 000003
【図２】
2019500135.tif 000004
【図３】
2019500135.tif 000005
【図４】
2019500135.tif 000006
【図５】
2019500135.tif 000007
【図６】
2019500135.tif 000008
【国際調査報告】
2019500135.tif 000009
2019500135.tif 000010
2019500135.tif 000011
2019500135.tif 000012
2019500135.tif 000013
2019500135.tif 000014